(57)【要約】      （修正有）【課題】ＩＣカードを電極への接触なしに、電子機器から容易に取り外すことができるＩＣカードの着脱構造を提供する。【解決手段】ＩＣカードを着脱部に着脱する構造において、回転運動可能な土台部５と、土台部５に突起として設けられた補助部６とを有し、補助部６は土台部５の回転中心側に摘み補助部７を有し、さらに補助部６における土台部５の回転中心側とは反対側に抑え部８を有する。【選択図】図２
2011154416.tif 000002
【特許請求の範囲】
【請求項１】
ＩＣカードを着脱部に着脱する構造において、
運動可能な土台部と、
前記土台部に設けられた補助部とを有し、
前記補助部は摘み補助部を有する
ことを特徴とするＩＣカードの着脱構造。
【請求項２】
請求項１において、
前記着脱部に装着された前記ＩＣカードを抑える抑え部が、前記土台部又は前記補助部に設けられている
ことを特徴とするＩＣカードの着脱構造。
【請求項３】
請求項１において、
前記土台部は回転運動し、前記補助部は前記土台部からの突起として存在し、
前記摘み補助部は、前記補助部における前記土台部の回転中心側に有し、
前記抑え部は、前記補助部における前記土台部の回転中心側とは反対側に有している
ことを特徴とするＩＣカードの着脱構造。
【請求項４】
請求項１又は２において、前記土台部は回転運動又は直線運動をすること
を特徴とするＩＣカードの着脱構造。
【請求項５】
ＩＣカードを着脱する着脱部を備えた電子機器において、
運動可能な土台部と、
前記土台部に設けられた補助部とを有し、
前記補助部は摘み補助部を有する
ことを特徴とする電子機器。
【請求項６】
請求項５において、
前記着脱部に装着された前記ＩＣカードを抑える抑え部が、前記土台部又は前記補助部に設けられている
ことを特徴とする電子機器。
【請求項７】
請求項５において、
前記土台部は回転運動し、前記補助部は前記土台部からの突起として存在し、
前記摘み補助部は、前記補助部における前記土台部の回転中心側に有し、
前記抑え部は、前記補助部における前記土台部の回転中心側とは反対側に有している
ことを特徴とする電子機器。
【請求項８】
請求項５〜７のいずれか一項において、
前記ＩＣカード以外の物品を着脱する物品着脱部を有し、
前記物品を前記物品着脱部に装着したとき、抑え部は装着位置に位置する
ことを特徴とする電子機器。
【請求項９】
請求項５〜８のいずれか一項において、
前記着脱部は、前記物品着脱部の底面と共有している
ことを特徴とする電子機器。
【請求項１０】
着脱部に装着されたＩＣカードを、抑え部を備えた土台部により、装着状態を維持しておき、前記土台部を移動させることにより前記抑え部の装着位置を解除し、前記装着状態が解除された前記ＩＣカードを取り外し位置にある摘み補助部に移動させる
ことを特徴とするＩＣカードの取り外し方法。
【発明の詳細な説明】
【技術分野】
【０００１】
本発明は、電子機器に着脱されるメモリカード等のＩＣカードの着脱構造に関する。
【背景技術】
【０００２】
現在、携帯電話等の電子機器に接続するメモリーカード等、様々な種類のＩＣカードが存在している。
【０００３】
ＩＣカードの着脱部は、電子機器の外装部または電池等の物品を着脱する物品着脱部に設けられている。ＩＣカードの着脱部が物品着脱部に設けられたときは、外装部に設けたときより、ＩＣカードへの接触阻止、着脱部へのゴミ等の侵入防止等の点で有利である。
【０００４】
着脱部からのＩＣカードの抜け防止構造が、特許文献１に開示されている。特許文献１では、ＩＣカード挿入口側の一方のガイド壁にカードストッパーを設けたＩＣカード抜け防止機構付ＩＣカード用コネクタが開示されている。
【先行技術文献】
【特許文献】
【０００５】
【特許文献１】特開平９−５０４９６号公報
【発明の概要】
【発明が解決しようとする課題】
【０００６】
ＩＣカードは、薄型化・小型化し続けているため、ＩＣカードを電子機器から取り外す際に手間がかかり、また、電極が設けられているＩＣカードに対して、電極への接触による汚れ、静電気、傷等から保護する必要がある。したがって、これらの課題を解決するＩＣカードの着脱構造が必要である。
【０００７】
しかしながら、特許文献１は、ＩＣカードの着脱部からの取外れ防止に関する技術を開示しているだけであり、ＩＣカードの電子機器からの取り外しに関する技術は一切開示していない。
【０００８】
本発明の目的は、ＩＣカードを電極への接触なしに、電子機器から容易に取り外すことができるＩＣカードの着脱構造を提供することである。
【課題を解決するための手段】
【０００９】
上記の目的を達成するために、本発明の一態様によれば、ＩＣカードを着脱部に着脱する構造において、運動可能な土台部と、土台部に設けられた補助部とを有し、補助部は摘み補助部を有することを特徴とするＩＣカードの着脱構造が得られる。
【００１０】
本発明の別の態様によれば、ＩＣカードを着脱する着脱部を備えた電子機器において、運動可能な土台部と、土台部に設けられた補助部とを有し、補助部は摘み補助部を有することを特徴とする電子機器が得られる。
【００１１】
本発明のさらに別の態様によれば、着脱部に装着されたＩＣカードを、抑え部を備えた土台部により、装着状態を維持しておき、土台部を移動させることにより抑え部の装着位置を解除し、装着状態が解除されたＩＣカードを取り外し位置にある摘み補助部に移動させることを特徴とするＩＣカードの取り外し方法が得られる。
【発明の効果】
【００１２】
本発明は、ＩＣカードを電極への接触なしに、電子機器から容易に取り外すことができる。これにより、ＩＣカードの取り外しの手間を省くと共に、電極への接触による汚れ、静電気、傷等の発生を防止し、ＩＣカードを保護することができる。
【図面の簡単な説明】
【００１３】
【図１】（ａ）は本発明の一実施形態を示す携帯電話の正面側の斜視図、（ｂ）は本発明の一実施形態を示す携帯電話の背面側の斜視図である。
【図２】（ａ）は本発明の一実施形態を示す抑え部が装着位置にある状態の携帯電話の背面側の斜視図、（ｂ）は本発明の一実施形態を示す抑え部が装着位置と取り外し位置の間にある状態の携帯電話の背面側の斜視図、（ｃ）は本発明の一実施形態を示す抑え部が取り外し位置にある状態の携帯電話の背面側の斜視図である。
【図３】本発明の一実施形態を示す抑え部が取り外し位置にある状態におけるメモリーカードが装着状態から解除された状態の携帯電話の背面側の斜視図である。
【図４】（ａ）は本発明の一実施形態を示す抑え部が装着位置にある状態の携帯電話の背面図、（ｂ）は図４（ａ）における切断線Ａ−Ａの断面図、（ｃ）は図４（ｂ）におけるＢの部分拡大図である。
【図５】（ａ）は本発明の一実施形態を示す抑え部が取り外し位置にある状態におけるメモリーカードが装着状態から解除された状態の携帯電話の背面図、（ｂ）は図５（ａ）における切断線Ｃ−Ｃの断面図、（ｃ）は図５（ｂ）におけるＤの部分拡大図である。
【発明を実施するための形態】
【００１４】
以下、本発明の一実施形態について携帯電話を用いて説明する。
【００１５】
図１（ａ）及び図１（ｂ）に示された携帯電話１は、正面側（図１（ａ））にディスプレイ部、背面側（図１（ｂ））にＩＣカード以外の物品として、例えば、電池１１が着脱される物品着脱部２を備えている。物品着脱部２は、外形が矩形状の区画により形成されている。物品は、電池１１に限らず、他の電子媒体又はこれらを搭載させた構造体でもよい。
【００１６】
また、図２〜図５に示すように、携帯電話１は、物品着脱部２の一部に、ＩＣカードとして、例えば、メモリーカード１２が着脱される着脱部３、及びＩＣカードの着脱構造を有している。ＩＣカードは、本実施形態のメモリーカード１２の他、回路が組み込まれているカードであればよい。
【００１７】
図示された着脱部３は、物品着脱部２の側面（図では上部側面）に設けられ、矩形状の穴を成している。また、着脱部３の一辺は、物品着脱部２の底面と共有している。図示されたＩＣカードの着脱構造は、物品着脱部２の底面の略中央に位置している。
【００１８】
以下、メモリーカード１２を携帯電話１から取り外しするためのＩＣカードの着脱構造について説明する。
【００１９】
図２（ａ）〜（ｃ）、図４（ａ）及び図４（ｂ）に示すように、ＩＣカードの着脱構造は、円運動可能な土台部５と、該土台部５に設けられた補助部６とを有している。図示された土台部５は、略円盤形状を成している。土台部５の上面は、物品着脱部２の底面のうち該土台部５以外の底面と同じ高さであり、同一平面を形成している。
【００２０】
土台部５に取り付けられた補助部６は、略三角柱形状を成し、三角柱を挟む２つの側面に垂直な方向における該側面付近の垂直断面は、略直角三角形状を有している（図４の（ｂ）及び（ｃ）参照）。図示された補助部６は、三角形の斜辺部によって構成された摘み補助部７が土台部５の回転中心側を向くように、土台部５の円周付近に設けられている。即ち、摘み補助部７は、土台部５の上面から着脱部３に向かって傾斜した平面形状を有している。
【００２１】
また、図４（ｃ）に示すように、補助部６は更に抑え部８を備えている。抑え部８は、物品着脱部２に向かって土台部５に対して垂直に延びた平面によって形成されている。当該抑え部８は土台部５の回転中心側とは反対側に設けられている。
【００２２】
図示されたＩＣカードの着脱構造は、土台部５、補助部６、摘み補助部７、抑え部８のうち、複数を一部品とすることにより、部品点数を減らすことができるという利点を有している。さらに、本実施形態では、補助部６に摘み補助部７と抑え部８が一体となっているため、物品着脱部２において省スペースとなるため、スペースを有効に利用することができるという利点を有する。
【００２３】
図１〜図５を参照しながら、メモリーカード１２を携帯電話１から取り外しする方法を説明する。
【００２４】
先ず、図１（ｂ）のように、物品着脱部２から電池１１を取り外す。電池１１が物品着脱部２に装着されているときは、図１（ｂ）のように、補助部６の回転が電池１１に妨害され、土台部５の回転が抑えられる。その結果、抑え部６は装着位置を維持し、メモリーカード１２は装着状態に維持され、メモリーカード１２の取り外れが防止される。装着位置は、図１（ｂ）、図２（ａ）、図４（ａ）〜（ｃ）に示すように、抑え部８の抑えによりメモリーカード１２が装着状態に維持される抑え部８の位置である。即ち、抑え部８が装着位置にあるとき、メモリーカード１２は着脱部３への装着状態になる。抑え部８は、装着位置にあるとき、メモリーカード１２に接触する必要はなく、メモリーカード１２が装着状態を維持することができれば接触していなくてもよい。このように、図示されたＩＣカードの着脱構造は、補助部６が土台部５と連動するため、補助部６を抑える機構が不要であるという利点を有する。また、メモリーカード１２を使用するとき、つまり、メモリーカード１２が着脱部３に装着されているときは、確実にメモリーカード１２の取り外れを防止することができるという利点を有する。
【００２５】
次に、図２（ａ）〜（ｃ）のように、土台部５の補助部６を持って土台部５を回転させ、抑え部８を取り外し位置（図２（ｃ））に回転運動させる。取り外し位置は、抑え部８の装着位置以外の位置であって、本実施形態に限らず、任意に選択することができる。
【００２６】
続いて、図３のように、メモリーカード１２を装着状態から解除し、物品着脱部２の底面にスライドさせる。補助部６のみが、物品着脱部２の底面から突出しているため、メモリーカード１２が装着状態から取り外し位置にある摘み補助部７に至るまで、メモリーカード１２を物品着脱部２の底面に沿ってスムーズに障害なくスライドさせることができるため、メモリーカード１２を摘み補助部７に容易に到達させることができる。
【００２７】
続いて、図５（ａ）〜（ｃ）のように、メモリーカード１２を摘み補助部７まで移動させ、最後に、摘み補助部７へ乗せる。この状態では、メモリーカード１２は摘み補助部７に部分的に乗り上げ、この結果、摘み補助部７とメモリーカード１２との間に空間ができ、未接触部分ができる。この未接触部分によりメモリーカード１２が摘み易くなるため、この構造は、メモリーカード１２を該メモリーカード１２の電極に接触せず容易に取り外すことができるという利点を有する。
【００２８】
上記のように、本実施形態では、土台部５の移動により抑え部８を装着位置から解除した後について、土台部５を更に移動させ取り外し位置に移動させ、装着状態を解除されたメモリーカード１２を取り外し位置にある摘み補助部７に移動させている。この方法に限らず、例えば、これらは同時に行ってもよく、装着状態が解除されたメモリーカード１２を取り外し位置にある摘み補助部７に移動させることができればよい。
【００２９】
続いて、メモリーカード１２を着脱部３に装着する方法を説明する。
【００３０】
図３及び図５（a）のように、メモリーカード１２を土台部５に乗せた状態から、土台部５の補助部６を持って土台部５を回転運動させ、抑え部７を装着位置に移動させ、メモリーカード１２を装着状態まで導くことにより達成される。このように、メモリーカード１２の携帯電話１からの取り外しの際だけでなく、着脱部３への装着の際にも、メモリーカード１２を該メモリーカード１２の電極に接触せず操作することができるという利点を有する。
【００３１】
上記実施形態は、一実施形態にすぎず、例えば、以下に示すような形態でもよい。
【００３２】
土台部５は、円運動に限らず、直線運動等またはこれらの組み合わせであってもよい。
【００３３】
土台部５に形成される補助部６は、突起でなく窪みでもよく、この場合、窪みとして補助部６が土台部５に設けられていることとなる。つまり、窪みが摘み補助部７となり、補助部６に抑え部８は存在しないことになる。この場合、補助部６が突起である場合と同様に、摘み補助部７とメモリーカード１２との間に空間ができ、未接触部分ができることになる。また、抑え部８は、補助部６が突起である場合においても、形成される必要はない。
【００３４】
抑え部８は、補助部６にある必要はなく、土台部５に設けられていてもよく、抑え部８が装着位置にあるときに、メモリーカード１２を装着状態に位置させることができればよい。
【００３５】
着脱部３及びＩＣカードの着脱構造は、物品着脱部２にある必要はなく、物品着脱部２の外側であってもよい。
【産業上の利用可能性】
【００３６】
本発明は、本実施形態における携帯電話の他、ゲーム機、ＰＤＡ（Ｐｅｒｓｏｎａｌ  Ｄｉｇｉｔａｌ  Ａｓｓｉｓｔａｎｔ）、パソコン等の様々な電子機器に利用することができる。
【符号の説明】
【００３７】
１携帯電話
２物品着脱部
３着脱部
５土台部
６補助部
７摘み補助部
８抑え部
１１電池
１２メモリーカード
【図１】
2011154416.tif 000003
【図２】
2011154416.tif 000004
【図３】
2011154416.tif 000005
【図４】
2011154416.tif 000006
【図５】
2011154416.tif 000007